(57)【要約】【課題】エアーブローの実施により、カメラモジュールの製造時に侵入した異物をより確実に粘着剤と接触させて捕捉することができ、異物が粘着剤と接触する確率を上げるための加振工程による工数増大を招くことなく、画質劣化につながる異物の撮像領域への到達を防止することができるカメラモジュールを得る。【解決手段】カメラモジュールにおいて、基板１０１と、基板上に設けられた撮像チップ１０１ａと、撮像チップ上に入射光を集光させる集光レンズ１０７と、基板に撮像チップを覆うよう取り付けられ、集光レンズを収容するホルダ部材１０２とを備え、ホルダ部材１０２を、ホルダ部材１０２の採光用開口部１２２からホルダ部材の内部に流入した気流を排出する少なくとも１つの通気孔１２５を有する構造とした。【選択図】図１
2011155414.tif 000002
【特許請求の範囲】
【請求項１】
基板と、該基板上に設けられた撮像チップと、該撮像チップ上に入射光を集光させる集光レンズとを有するカメラモジュールであって、
該基板に該撮像チップを覆うよう取り付けられ、該集光レンズを収容するホルダ部材を備え、
該ホルダ部材は、該ホルダ部材の開口部から該ホルダ部材の内部に流入した気流を排出する少なくとも１つの通気孔を有する、カメラモジュール。
【請求項２】
請求項１に記載のカメラモジュールにおいて、
前記ホルダ部材は、前記気流の流れる経路の一部に、該気流に含まれる異物を捕捉する異物捕捉部を配置したものである、カメラモジュール。
【請求項３】
請求項２に記載のカメラモジュールにおいて、
前記通気孔は、該カメラモジュールをエアブローした際に、前記ホルダ部材の開口部から流入した空気流の排出経路を、該空気流に含まれる前記異物が前記異物捕捉部に導かれるよう形成する、カメラモジュール。
【請求項４】
請求項１に記載のカメラモジュールにおいて、
前記ホルダ部材は、該ホルダ部材の外部から該ホルダ部材内への一定サイズ以上の異物の侵入が阻止されるよう前記通気孔の開口に取り付けたメッシュ部材を有する、カメラモジュール。
【請求項５】
請求項１に記載のカメラモジュールにおいて、
前記ホルダ部材は、その外形形状を直方体形状とし、前記集光レンズの光軸と平行な壁面に前記通気孔の開口を形成したものである、カメラモジュール。
【請求項６】
請求項５に記載のカメラモジュールにおいて、
前記ホルダ部材は、前記通気孔の開口を、該直方体形状のホルダ部材の角部に配置したものである、カメラモジュール。
【請求項７】
請求項１に記載のカメラモジュールにおいて、
前記ホルダ部材は、
前記基板上に設けられた前記撮像チップを覆うよう、該基板上に取り付けられた下部ホルダと、
該下部ホルダ上に前記集光レンズを収容するよう取り付けられた上部ホルダとを有し、
該下部ホルダは、その上面壁の、該撮像チップに対向する部分に形成された下部開口部を有し、該下部開口部には、これを覆うよう赤外線カットフィルタが取り付けられている、カメラモジュール。
【請求項８】
請求項７に記載のカメラモジュールにおいて、
前記下部ホルダは、前記ホルダ部材の外部から侵入した異物、あるいは該ホルダ部材の内部で発生した異物が、前記基板上の前記撮像チップに到達しないよう、前記赤外線カットフィルタにより、前記下部開口部を封止したものである、カメラモジュール。
【請求項９】
請求項７記載のカメラモジュールにおいて、
前記下部ホルダは、その上面壁の前記下部開口部の周囲に粘着剤を塗布して前記異物捕捉部を形成したものである、カメラモジュール。
【請求項１０】
請求項９に記載のカメラモジュールにおいて、
前記通気孔の、前記ホルダ部材の内側に位置する内側開口は、前記異物捕捉部に隣接して配置されている、カメラモジュール。
【請求項１１】
請求項７に記載のカメラモジュールにおいて、
前記下部ホルダは、前記通気孔の内側開口を、該下部ホルダの上面壁に形成された下部開口部の周囲に配置し、該通気孔の前記ホルダ部材の外側に位置する外部開口を、該下部ホルダの側壁面に配置したものである、カメラモジュール。
【請求項１２】
請求項１１に記載のカメラモジュールにおいて、
前記下部ホルダは、前記ホルダ部材の外部から該ホルダ部材内への一定サイズ以上の異物の侵入が阻止されるよう、前記通気孔の内側開口に取り付けたメッシュ部材を有する、カメラモジュール。
【請求項１３】
請求項７に記載のカメラモジュールにおいて、
前記通気孔は、これが形成する気流の経路の一部で気流の流速が低下するよう、該通気孔の一部の断面積を他の部分に比べて増大させたものであり、前記異物捕捉部は、該通気孔の断面積を増大させた部分に隣接させて配置されている、カメラモジュール。
【請求項１４】
請求項７に記載のカメラモジュールにおいて、
前記ホルダ部材は、該カメラモジュールをエアブローした際に、該ホルダ部材の内部で、該集光レンズの光軸の周りに回転する方向の気流が発生して、該気流の回転する遠心力により、該気流に含まれる異物が、該ホルダ部材の側壁内面に配置した異物捕捉部に捕捉されるようにしたものである、カメラモジュール。
【請求項１５】
請求項１に記載のカメラモジュールにおいて、
前記ホルダ部材は、前記集光レンズを保持するレンズ保持部を、該ホルダ部材に対して接触しないよう、該集光レンズの光軸方向に移動可能に支持する弾性支持部材を有する、カメラモジュール。
【請求項１６】
請求項１５に記載のカメラモジュールにおいて、
前記ホルダ部材は、
前記基板上に設けれらた前記撮像チップを覆うよう、該基板上に取り付けられた下部ホルダと、
該下部ホルダ上に前記集光レンズを収容するよう取り付けられた上部ホルダとを有し、
前記レンズ保持部は、その上端部が上側の弾性支持部材を介して該上部ホルダの上面壁に支持され、その下端部が下側の弾性支持部材を介して該下部ホルダの上面壁に支持されている、カメラモジュール。
【請求項１７】
請求項１６に記載のカメラモジュールにおいて、
前記下部ホルダは、その上面壁の、該撮像チップに対向する部分に形成された下部開口部を有し、該下部開口部には、これを覆うよう赤外線カットフィルタが取り付けられていおり、
前記弾性支持部材により支持されているレンズ保持部は、該カメラモジュールのエアーブロー時の風圧より、該赤外線カットフィルタを覆うよう該下部ホルダ側に移動する、カメラモジュール。
【請求項１８】
請求項１に記載のカメラモジュールにおいて、
前記通気孔は、前記集光レンズの光軸と平行な方向の寸法が０．２ｍｍ〜１ｍｍの範囲に設定されている、カメラモジュール。
【請求項１９】
請求項４または１２に記載のカメラモジュールにおいて、
前記メッシュ部材の網目のサイズは、５μｍ〜２０μｍの粒子が通過する程度の大きさに設定されている、カメラモジュール。
【請求項２０】
被写体の撮像を行う撮像部を備えた電子情報機器であって、
該撮像部は、請求項１に記載のカメラモジュールである電子情報機器。
【発明の詳細な説明】
【技術分野】
【０００１】
本発明は、カメラモジュール及び電子情報機器に関し、特に、電子情報機器に搭載されるカメラモジュールに侵入した画質劣化の原因となる異物を捕捉する機構に関するものである。
【背景技術】
【０００２】
近年、撮像素子と撮像用レンズとが一体化して組み込まれたカメラモジュールは、小型情報端末やデジタルカメラなどさまざまな電子情報機器に搭載されている。
【０００３】
カメラモジュール内の異物がＩＲカットフィルタ上の撮像領域に入ると、これがシミとして表示される画質劣化を引き起こすこととなる。このことから、撮像領域に異物が入らないようにすることが重要となっている。
【０００４】
このため、材料の洗浄や工程のクリーン化により、カメラモジュールの製造時に異物がカメラモジュール内に入り込まないようしている。
【０００５】
また、従来のカメラモジュールには、ＡＦ（オートフォーカス）モーターの可動部からの発塵を防止するため、保護部材を設けて部材同士の接触による異物発生を抑制したり、粘着面を設けることにより発生した異物を捕獲したりすることで、撮像領域に異物が入り込むのを抑制しているものもある。
【０００６】
図９は、このような従来のカメラモジュールを説明する図であり、一例として、特許文献１に開示のものを示している。
【０００７】
このカメラモジュール２００は、可動部と、固定部と、弾性部材１０とを有している。
【０００８】
可動部は、レンズ４と、レンズホルダ５と、コイル６とを有している。レンズホルダ５は、たとえば円筒状の筒部５ａと、筒部５ａの一方端部において外周側に広がるフランジ部５ｂとを有している。レンズ４は筒部５ａの内部に保持されている。コイル６は円筒形状を有しており、筒部５ａの外周を取り囲むようにフランジ部５ｂに保持されている。
【０００９】
固定部は、ヨーク８と、樹脂フレーム９と、磁石７と、ＩＲカットフィルタ２と、保護部材１１とを有している。樹脂フレーム９は、平面視において矩形の外形を有し、かつ中央に円形の貫通孔９ａを有している。この樹脂フレーム９の一方の表面側にはヨーク８が取り付けられている。
【００１０】
ヨーク８は、略平坦状の上壁部８ａと側壁部８ｂとを有している。上壁部８ａの中央部には貫通孔８ｃが設けられ、このヨーク８の側壁部８ｂの内周側に、磁石７が取り付けられている。また、この貫通孔８ｃに、可動部であるレンズホルダの筒部５ａが光軸１の方向にスライド可能に保持されている。
【００１１】
また、樹脂フレーム９の他方の表面側には貫通孔９ａを覆うようにＩＲカットフィルタ２が貼り付けられている。ＩＲカットフィルタ２の下には撮像素子３が配置されている。
【００１２】
可動部と固定部とが組まれた状態において、レンズホルダ５の筒部５ａがヨーク８の上壁部８ａ中央の貫通孔８ｃ内に配置されている。またヨーク８の内部において、磁石７とコイル６とが互いに所定のクリアランスを介して対向するように、磁石７の内周側にコイル６が配置されている。
【００１３】
弾性部材１０は、可動部と固定部とを連結している。この弾性部材１０には、たとえば板バネやコイルバネが用いられる。弾性部材１０は、たとえば、内周側の輪形状をした可動部側接着部１０ａと、外周側の輪形状をした固定部側接着部１０ｃと、それら可動部側接着部１０ａおよび固定部側接着部１０ｃを繋ぐ複数本の腕部１０ｂとを有している。
【００１４】
可動部側接着部１０ａは筒部５ａの下端に接着されており、固定部側接着部１０ｃはヨーク８および樹脂フレーム９の双方に挟まれて双方に接着されている。腕部１０ｂは可動部および固定部のいずれにも接着されておらずフリーな状態にあり、かつ弾性を有している。これにより、可動部がレンズ４の光軸１の方向に沿って固定部に対して相対的に移動可能となっている。
【００１５】
保護部材１１は、固定部に対して可動部が相対的に移動したときに固定部および可動部の少なくとも一方が弾性部材１０と衝突（接触）する箇所に設けられている。ここでは、保護部材１１は樹脂フレーム９の一方表面（図中上側の表面）上であって、弾性部材１０の可動部側接着部１０ａと接触する部分に設けられている。
【００１６】
なお、固定部および可動部は、弾性部材１０と対向する箇所に凹部１２を有しており、この凹部１２の壁面が粘着面１３となっている。この粘着面１３は、粘着テープを貼り付けることにより形成されている。
【００１７】
このようなカメラモジュール２００ａでは、固定部の、可動部側の弾性部材１０と衝突する箇所に、保護部材１１が設けられているため、固定部に対して可動部が相対的に移動しても、弾性部材１０が固定部に直接接することはない。つまり、弾性部材１０が固定部に直接接することで、固定部が削れて異物が生じることはない。
【００１８】
また、可動部は固定部に対して弾性部材１０で保持されているが、オートフォーカス機構が働く際のレンズ４を含む可動部の移動や、カメラモジュールに加わる外部からの加振力により、可動部が固定部との接触点で摩擦しながら運動することがある。この場合、異物が発生するが、この異物は、固定部および可動部に形成された凹部１２の粘着面１３で捕捉されることとなる。
【００１９】
また、従来のカメラモジュールとしては、上記特許文献１に開示のカメラモジュールとは異なり、可動部を固定部に対して接触しないよう、弾性部材によってのみ支持した構造のカメラモジュールもある。
【００２０】
図１０は、このような構造の従来のカメラモジュールを説明する図である。
【００２１】
この従来のカメラモジュール２００ａは、基板２０１と、この基板２０１の中央部上に配置された撮像センサ２０１ａと、基板２０１上に撮像センサ２０１ａを覆うよう接着剤２１０ａにより取り付けられた底面側ホルダ２１０とを有している。この底面側ホルダ２１０の該撮像センサ２０１ａに対向する部分には開口部２１０ｃが形成され、この開口部２１０ｃには赤外線（ＩＲ）カットフィルタ２０２ｂが取り付けられている。
【００２２】
また、カメラモジュール２００ａは、底面側ホルダ２１０上に接着剤２１０ｂにより取り付けられた天面側ホルダ２２０を有しており、この天面側ホルダ２２０内には、キャリア（可動部）２０５が収容されており、このキャリア２０５はカメラモジュールの光軸Ｘの方向に移動可能に支持されている。ここで、このキャリア２０５と天面側ホルダ２２０との間には弾性部材２２１が取り付けられ、このキャリア２０５と底面側ホルダ２１０との間には弾性部材２１１が取り付けられている。また、キャリア２０５にはバレル２０６を介してレンズ２０７が取り付けられている。
【００２３】
さらに、キャリア２０５の周囲にはコイル２０４が取り付けられている。天面側ホルダ２２０の、コイル２０４に対向する内壁面には磁石２０３が、コイル２０５との間に一定の間隔を空けて取り付けられている。つまり、磁石２０３はコイル２０５と接触しないよう配置されている。これにより、このカメラモジュール２００は、コイル２０４に流す電流により、キャリア２０５が光軸Ｘの方向に移動する構成となっている。
【００２４】
また、底面側ホルダ２１０の上面の、磁石２０３とコイル２０５との間隙に対向する領域には、粘着剤２２０ａが塗布されており、カメラモジュール２００内に侵入した異物が、底面側ホルダ２１０上面の粘着剤２２０ａを塗布した部分で捕捉されるようになっている。
【先行技術文献】
【特許文献】
【００２５】
【特許文献１】特開２００９−１７５３４３号公報
【発明の概要】
【発明が解決しようとする課題】
【００２６】
上述のとおり、従来のカメラモジュールでは、固定部と可動部とが接触する部分に保護部材を設けたり、固定部と可動部とが接触しないように配置したりすることで、部材同士の接触により異物が発生することを防止し、また、カメラモジュール内に侵入した異物は、カメラモジュールの構成部材の粘着剤を塗布した部分で捕捉するようにしている。
【００２７】
ところが、異物の発生は、部材同士の接触以外の原因によるものもあり、異物の発生原因は、例えば、内部部品の劣化、駆動部からの発塵、製造時の異物侵入、製造後の外部からの異物侵入など多岐に渡っている。また、異物捕捉のための粘着剤も、粘着剤に異物が接触しない限り有効に機能せず、粘着剤により捕捉されなかった異物がＩＲカットフィルター上に到達するリスクもある。
【００２８】
このように、外部からカメラモジュール内部へ侵入した異物、もしくは、カメラモジュールに内在していた異物がＩＲカットガラス上の撮像領域内に侵入するとシミとなり、画質の低下を招く。
【００２９】
このため、カメラモジュールに複数回の加振を実施することで内在異物を除去して出荷しているが、異物が粘着剤と接触する確率を上げるために、複数回の加振などを実施するようにすると、カメラモジュールの製造工数の増加を招くといった問題がある。
【００３０】
また、電子機器の筐体へカメラモジュールを組み込む際に、カメラモジュールの外面に付着した異物を除去するためにエアブローが実施されるが、このエアーブロー時の気流に乗って勢いよく外部からカメラモジュール内に異物が侵入した場合には、異物は粘着面で捕捉されずに散乱して、ＩＲカットフィルタ上に侵入するといったことも生ずる。
【００３１】
本発明は、上記のような問題点を解決するためになされたもので、エアーブローの実施により、カメラモジュールの製造時に侵入した異物をより確実に粘着剤と接触させて捕捉することができ、異物が粘着剤と接触する確率を上げるための加振工程による工数増大を招くことなく、画質劣化につながる撮像領域への異物の到達を防止することができるカメラモジュール及びこのようなカメラモジュールを搭載した電子情報機器を得ることを目的とする。
【課題を解決するための手段】
【００３２】
本発明に係るカメラモジュールは、基板と、該基板上に設けられた撮像チップと、該撮像チップ上に入射光を集光させる集光レンズとを有するカメラモジュールであって、該基板に該撮像チップを覆うよう取り付けられ、該集光レンズを収容するホルダ部材を備え、該ホルダ部材は、該ホルダ部材の開口部から該ホルダ部材の内部に流入した気流を排出する少なくとも１つの通気孔を有するものであり、そのことにより上記目的が達成される。
【００３３】
本発明は、上記カメラモジュールにおいて、前記ホルダ部材は、前記気流の流れる経路の一部に、該気流に含まれる異物を捕捉する異物捕捉部を配置したものであることが好ましい。
【００３４】
本発明は、上記カメラモジュールにおいて、前記通気孔は、該カメラモジュールをエアブローした際に、前記ホルダ部材の開口部から流入した空気流の排出経路を、該空気流に含まれる前記異物が前記異物捕捉部に導かれるよう形成することが好ましい。
【００３５】
本発明は、上記カメラモジュールにおいて、前記ホルダ部材は、該ホルダ部材の外部から該ホルダ部材内への一定サイズ以上の異物の侵入が阻止されるよう前記通気孔の開口に取り付けたメッシュ部材を有することが好ましい。
【００３６】
本発明は、上記カメラモジュールにおいて、前記ホルダ部材は、その外形形状を直方体形状とし、前記集光レンズの光軸と平行な壁面に前記通気孔の開口を形成したものであることが好ましい。
【００３７】
本発明は、上記カメラモジュールにおいて、前記ホルダ部材は、前記通気孔の開口を、該直方体形状のホルダ部材の角部に配置したものであることが好ましい。
【００３８】
本発明は、上記カメラモジュールにおいて、前記ホルダ部材は、前記基板上に設けられた前記撮像チップを覆うよう、該基板上に取り付けられた下部ホルダと、該下部ホルダ上に前記集光レンズを収容するよう取り付けられた上部ホルダとを有し、該下部ホルダは、その上面壁の、該撮像チップに対向する部分に形成された下部開口部を有し、該下部開口部には、これを覆うよう赤外線カットフィルタが取り付けられていることが好ましい。
【００３９】
本発明は、上記カメラモジュールにおいて、前記下部ホルダは、前記ホルダ部材の外部から侵入した異物、あるいは該ホルダ部材の内部で発生した異物が、前記基板上の前記撮像チップに到達しないよう、前記赤外線カットフィルタにより、前記下部開口部を封止したものであることが好ましい。
【００４０】
本発明は、上記カメラモジュールにおいて、前記下部ホルダは、その上面壁の前記下部開口部の周囲に粘着剤を塗布して前記異物捕捉部を形成したものであることが好ましい。
【００４１】
本発明は、上記カメラモジュールにおいて、前記通気孔の、前記ホルダ部材の内側に位置する内側開口は、前記異物捕捉部に隣接して配置されていることが好ましい。
【００４２】
本発明は、上記カメラモジュールにおいて、前記下部ホルダは、前記通気孔の内側開口を、該下部ホルダの上面壁に形成された下部開口部の周囲に配置し、該通気孔の前記ホルダ部材の外側に位置する外部開口を、該下部ホルダの側壁面に配置したものであることが好ましい。
【００４３】
本発明は、上記カメラモジュールにおいて、前記下部ホルダは、前記ホルダ部材の外部から該ホルダ部材内への一定サイズ以上の異物の侵入が阻止されるよう、前記通気孔の内側開口に取り付けたメッシュ部材を有することが好ましい。
【００４４】
本発明は、上記カメラモジュールにおいて、前記通気孔は、これが形成する気流の経路の一部で気流の流速が低下するよう、該通気孔の一部の断面積を他の部分に比べて増大させたものであり、前記異物捕捉部は、該通気孔の断面積を増大させた部分に隣接させて配置されていることが好ましい。
【００４５】
本発明は、上記カメラモジュールにおいて、前記ホルダ部材は、該カメラモジュールをエアブローした際に、該ホルダ部材の内部で、該集光レンズの光軸の周りに回転する方向の気流が発生して、該気流の回転する遠心力により、該気流に含まれる異物が、該ホルダ部材の側壁内面に配置した異物捕捉部に捕捉されるようにしたものであることが好ましい。
【００４６】
本発明は、上記カメラモジュールにおいて、前記ホルダ部材は、前記集光レンズを保持するレンズ保持部を、該ホルダ部材に対して接触しないよう、該集光レンズの光軸方向に移動可能に支持する弾性支持部材を有することが好ましい。
【００４７】
本発明は、上記カメラモジュールにおいて、前記ホルダ部材は、前記基板上に設けれらた前記撮像チップを覆うよう、該基板上に取り付けられた下部ホルダと、該下部ホルダ上に前記集光レンズを収容するよう取り付けられた上部ホルダとを有し、前記レンズ保持部は、その上端部が上側の弾性支持部材を介して該上部ホルダの上面壁に支持され、その下端部が下側の弾性支持部材を介して該下部ホルダの上面壁に支持されていることが好ましい。
【００４８】
本発明は、上記カメラモジュールにおいて、前記下部ホルダは、その上面壁の、該撮像チップに対向する部分に形成された下部開口部を有し、該下部開口部には、これを覆うよう赤外線カットフィルタが取り付けられており、前記弾性支持部材により支持されているレンズ保持部は、該カメラモジュールのエアーブロー時の風圧より、該赤外線カットフィルタを覆うよう該下部ホルダ側に移動することが好ましい。
【００４９】
本発明は、上記カメラモジュールにおいて、前記通気孔は、前記集光レンズの光軸と平行な方向の寸法が０．２ｍｍ〜１ｍｍの範囲に設定されていることが好ましい。
【００５０】
本発明は、上記カメラモジュールにおいて、前記メッシュ部材の網目のサイズは、５μｍ〜２０μｍの粒子が通過する程度の大きさに設定されていることが好ましい。
【００５１】
本発明に係る電子情報機器は、被写体の撮像を行う撮像部を備えた電子情報機器であって、該撮像部は、上述した本発明のカメラモジュールであり、そのことにより上記目的が達成される。
【００５２】
次に本発明の作用について説明する。
【００５３】
本発明においては、カメラモジュールにおいて、基板上の撮像チップを覆うよう基板に取り付けられ、集光レンズを収容するホルダ部材を備え、このホルダ部材を、該ホルダ部材の開口部から該ホルダ部材の内部に流入した気流を排出する少なくとも１つの通気孔を有する構造としたので、エアブローを実施した場合にも、ホルダ部材内に流入した気流が通気孔から排出されることとなり、ホルダ部材内には一定の気流の通路が形成される。このため、エアブローを実施した場合にホルダ部材内での気流の散乱により異物が撮像領域内に侵入するのを抑制することができる。
【００５４】
また、本発明においては、ホルダ部材の気流の流れる経路の一部に、該気流に含まれる異物を捕捉する異物捕捉部を配置しているので、より確実に異物を捕獲することが可能となる。
【００５５】
また、本発明においては、ホルダ部材の外部から該ホルダ部材内への一定サイズ以上の異物の侵入が阻止されるよう通気孔の開口にメッシュ部材を取り付けているので、該通気孔からホルダ部材内に、画質劣化を引き起こすようなサイズの異物が侵入するのを回避できる。
【００５６】
また、本発明においては、通気孔の、ホルダ部材の内側に位置する内側開口を、異物を捕捉する異物捕捉部に隣接して配置されているので、効率よく異物を捕捉できる。
【００５７】
また、本発明においては、通気孔は、これが形成する気流の経路の一部で気流の流速が低下するよう、該通気孔の一部の断面積を他の部分に比べて増大させたものとし、異物を捕捉する異物捕捉部を、該通気孔の断面積を増大させた部分に隣接させて配置しているので、より効果的に異物の捕捉を行うことができる。
【００５８】
また、本発明においては、ホルダ部材は、該カメラモジュールをエアブローした際に、該ホルダ部材の内部で、該集光レンズの光軸の周りに回転する方向の気流が発生して、該気流の回転する遠心力により、該気流に含まれる異物が、該ホルダ部材の側壁内面に配置した異物捕捉部に捕捉されるよう構成されているので、より効果的に異物の捕捉を行うことができる。
【００５９】
また、本発明においては、弾性支持部材により支持されているレンズ保持部は、カメラモジュールのエアーブロー時の風圧より、下部ホルダの開口部に取り付けられている赤外線カットフィルタを覆うよう下部ホルダ側に移動するので、エアーブロー時に異物が積が線カットフィルタ上に侵入するのを回避できる。
【発明の効果】
【００６０】
以上のように、本発明によれば、基板と、該基板上に設けられた撮像チップと、該撮像チップ上に入射光を集光させる集光レンズとを有するカメラモジュールにおいて、該基板に該撮像チップを覆うよう取り付けられ、該集光レンズを収容するホルダ部材を備え、該ホルダ部材を、その開口部から該ホルダ部材の内部に流入した気流を排出する少なくとも１つの通気孔を有し、該気流の流れる経路の一部には、該気流に含まれる異物を捕捉する異物捕捉部を配置した構成としたので、エアーブローの実施により、カメラモジュールの製造時に侵入した異物をより確実に粘着剤と接触させて捕捉することができ、異物が粘着剤と接触する確率を上げるための加振工程による工数増大を招くことなく、画質劣化につながる撮像領域への異物の到達を防止することができる効果がある。
【図面の簡単な説明】
【００６１】
【図１】図１は本発明の実施形態１によるカメラモジュールを説明する図であり、このカメラモジュールの断面構造を示している。
【図２】図２は、図１に示すカメラモジュールを構成する弾性部材１１１を説明する図であり、図２（ａ）及び図２（ｂ）はそれぞれか弾性部材１１１を示す斜視図及び平面図である。
【図３】図３は、図２に示す弾性部材１１１とは構造が異なる他の弾性部材を示す図であり、図３（ａ）及び図３（ｂ）はそれぞれ他の弾性部材を示す側面図及び平面図である。
【図４】図４は、本実施形態１のカメラモジュールの形状及び通気孔の配置を説明する図であり、図４（ａ）は、カメラモジュールの外観を示す平面図であり、図４（ｂ）は、この実施形態１のカメラモジュールにおける通気孔の配置を模式的に示し、図４（ｃ）は、通気孔の配置を粘着剤の塗布領域とともに示し、図４（ｄ）及び図４（ｅ）はそれぞれ、通気孔の配置の他の例を模式的に示している。
【図５】本発明の実施形態１によるカメラモジュールの変形例を説明する図であり、エアーブロー時には、エアーブローにより生じた風圧により、キャリア１０５が底面側ホルダ１１０の上壁に当接する位置に移動した状態を示している。
【図６】図６は本発明の実施形態２によるカメラモジュールを説明する図であり、このカメラモジュールの断面構造を示している。
【図７】図７は本発明の実施形態３によるカメラモジュールを説明する図であり、このカメラモジュールの断面構造を示している。
【図８】図８は、本発明の実施形態４として、実施形態１ないし３のいずれかの固体撮像装置を撮像部に用いた電子情報機器の概略構成例を示すブロック図である。
【図９】図９は、従来のカメラモジュールを説明する図であり、特許文献１に開示のカメラモジュールを示している。
【図１０】図１０は、従来のカメラモジュールの他の例を説明する図である。
【発明を実施するための形態】
【００６２】
以下、本発明の実施形態について図面を参照しながら説明する。
【００６３】
（実施形態１）
図１は本発明の実施形態１によるカメラモジュールを説明する図であり、このカメラモジュールの断面構造を示している。なお、ここで説明するカメラモジュールは、オートフォーカス機能を有するものである。
【００６４】
この実施形態１のカメラモジュール１００は、基板１０１と、基板１０１上に設けられた撮像チップ１０１ａと、撮像チップ１０１ａ上に入射光を集光させる集光レンズ１０７と、基板１０１に撮像チップ１０１ａを覆うよう取り付けられ、集光レンズ１０７を収容するホルダ部材１０２を有している。
【００６５】
そして、このカメラモジュール１００では、ホルダ部材１０２は、その側壁面に形成され、ホルダ部材の内部に流入した空気流などの気流を排出する少なくとも１つの通気孔１２５を有し、該気流の流れる経路の一部には、該気流に含まれる異物を捕捉する異物捕捉部１２０ａを配置した構造となっている。
【００６６】
ここで、ホルダ部材１０２は、底面側ホルダ（下部ホルダ）１１０と天面側ホルダ（上部ホルダ）１２０とを有している。底面側ホルダ１１０は、基板１０１上に撮像チップ１０１ａを覆うよう接着剤１１０ａにより取り付けられ、この底面側ホルダ１１０の撮像チップ１０１ａに対向する部分には開口部１１０ｃが形成され、この開口部１１０ｃには赤外線（ＩＲ）カットフィルタ１０１ｂが取り付けられている。天面側ホルダ１２０は、底面側ホルダ１１０上に接着剤１１０ｂにより取り付けられている。この天面側ホルダ１２０内には、キャリア（可動部）１０５が収容されており、キャリア１０５はカメラモジュールの光軸Ｘの方向に移動可能に支持されている。このキャリア１０５と天面側ホルダ１２０との間には弾性部材１２１が取り付けられ、このキャリア１０５と底面側ホルダ１１０との間には弾性部材１１１が取り付けられている。また、キャリア１０５にはバレル１０６を介して集光レンズ（以下、単にレンズともいう。）１０７が取り付けられている。また、天面側ホルダ１２０の上壁面には、レンズ１０７に光を取り込むための採光用開口１２２が形成されている。
【００６７】
さらに、キャリア１０５の外周囲面にはコイル１０４が取り付けられている。天面側ホルダ１２０の、コイル１０４に対向する内壁面には磁石１０３が、コイル１０４との間に一定の間隔を空けて取り付けられている。つまり、磁石１０３はコイル１０４と接触しないよう配置されている。これにより、このカメラモジュール１００は、コイル１０４に流す電流により、キャリア１０５が光軸Ｘの方向に移動する構成となっている。
【００６８】
また、底面側ホルダ１１０の上面の、磁石１０３とコイル１０４との間隙に対向する領域は、グリスなどの粘着剤１２５が塗布されて異物を捕捉する異物捕捉部１２５ａとなっている。なお、粘着剤１２５に代えて粘着テープを用いてもよい。
【００６９】
また、この実施形態１のカメラモジュール１００では、底面側ホルダ１１０の上壁面上に形成されたフランジ部１１２ａと、このフランジ部１１２ａに嵌合する、天面側ホルダ１２０の下端部１２１ａとに跨って通気孔１２５が形成されており、この通気孔１２５の、フランジ１１２ａの内面側開口には、メッシュ部材１３０が、粘着剤１２５を塗布した異物捕捉部１２５ａと隣接するよう取り付けられている。このメッシュ部材１３０は、ホルダ部材の外部からホルダ部材内への一定サイズ以上の異物の侵入を阻止するものである。また、この通気孔１２５は、天面側ホルダ１２０の採光用開口部１２２から流入した気流がこの通気孔を介してホルダ部材の外部に排出されるよう気流の通路を形成するものであり、また、カメラモジュールをエアブローした際に上記のように気流の通路（エアパス）を形成することにより、異物を異物捕捉部１２５ａに導くものである。
【００７０】
図４は、本実施形態１のカメラモジュールの形状及び通気孔の配置を説明する図であり、図４（ａ）は、カメラモジュールの外観を示す平面図であり、図４（ｂ）は、この実施形態１の通気孔の配置を模式的に示している。
【００７１】
図４（ａ）及び（ｂ）に示すように、この実施形態１では、底面側ホルダ１１０及び天面側ホルダ１２０はともに外形略直方体形状となっており、従って、底面側ホルダ及び天面側ホルダにより形成されるホルダ部材１０２も、外形形状が直方体形状となっている。
【００７２】
また、この実施形態１では、図４（ｂ）及び（ｃ）に示すように、通気孔１２５は、ホルダ部材１０２の４つの側壁１１０ａの中央部にそれぞれ１つ設けら、各通気孔１２５のホルダ内面側開口はメッシュ部材１３０により覆われている。
【００７３】
なお、図４（ｃ）には、底面側ホルダ１１０の上壁部外面に粘着剤１２０ａを塗布した領域である異物捕捉部（斜線部）１２０ｂを示している。
【００７４】
なお、通気孔１２５の位置は、図４（ｂ）に示す位置に限らず、例えば、図４（ｄ）に示すように、１組の通気孔１２５を、ホルダ部材１０２の側壁コーナ部１１０ｂを挟むように形成してもよく、また、図４（ｅ）に示すように、ホルダ部材１０２のコーナ部１１０ｂを切り落として通気孔１２５を形成してもよい。
【００７５】
ここで、通気孔１２５のサイズは、エアーブロー時に、天面側ホルダ１２０の採光用開口１２２から通気孔１２５に向けて気流の通路が形成されるものであればよく、例えば、通気孔１２５は、その集光レンズの光軸と平行な方向の寸法が０．２ｍｍ以上であれば十分であるが、実用的には、０．２ｍｍ〜１ｍｍの範囲に設定される。
【００７６】
また、前記メッシュ部材１３０の網目のサイズは、画像劣化を引き起こす恐れのある大きな異物の通過を阻止できる程度に設定する。具体的には、メッシュ部材の網目のサイズは、２０μｍ以下であればよいが、空気流の流れが阻害されない程度の大きさを確保する必要があるので、５μｍ〜２０μｍの程度の大きさとするのが望ましい。
【００７７】
図２は、弾性部材１１１を説明する図であり、図２（ａ）及び図２（ｂ）はそれぞれこの弾性部材１１１を示す斜視図及び平面図である。
【００７８】
この弾性部材１１１は、直径の異なる２つのリング状薄板部材１１１ａ及び１１１ｂと、これらをその中心軸が一致するよう所定の間隔を隔てて支持する弾性支持片１１１ｃとを有している。なお、弾性部材１２１も、図２に示す弾性部材１１１と同一の構造となっている。また、弾性部材１１１及び１２１は、図２に示す構造のものに限らず、例えば図３（ａ）及び（ｂ）に示すスプリングコイル１１２であってもよい。
【００７９】
次に、本実施形態１のカメラモジュールの組立て方法について簡単に説明する。
【００８０】
まず、撮像チップ１０１ａが取り付けられた基板１０１に、ＩＲカットフィルタ１０１ｂが取り付けられた底面側ホルダ１１０を接着剤１１５ａにより取り付ける。
【００８１】
次に、底面側ホルダ１１０の上壁の表面に粘着剤１２０ａを塗布して異物捕捉部１２０ｂを形成し、通気孔１２５のホルダ内面側に位置する開口部にメッシュ部材１３０を取り付ける。なお、粘着剤１２０ａの塗布及びメッシュ部材１３０の取り付けは、底面側ホルダ１１０を基板に取り付ける前に行ってもよい。
【００８２】
次に、弾性部材１１１を底面側ホルダ１１０の開口部１１６の周囲のフランジ１１２ｂに取り付け、該弾性部材１１１に、集光レンズ１０７を含むバレル１０６及びコイル１０３を取り付けたキャリア１０４を接着剤により取り付ける。
【００８３】
その後、キャリア１０４の上面に弾性部材１２１を取り付けた後、天面側ホルダ１２２を底面側ホルダ１１０に嵌め込んで接着剤１１５ｂにより固定する。このとき、弾性部材１２１のリング状薄板部材１１１ｂを天面側ホルダ１２０の上壁内面に接着剤により固定する。
【００８４】
このようにしてカメラモジュールの組立てを行った後、カメラモジュールはエアーブローなどの処理が行われて、カメラモジュールに付着している異物が除去され、出荷される。
【００８５】
このようにエアーブローが行われると、カメラモジュール１００の採光用開口部１２２からホルダ部材の側壁面に形成した通気孔１２５に至る経路が、エアパスＰａとなり、空気が勢いよく流れる。これにより、カメラモジュールの組立て工程で混入している異物は、空気流に乗って、通気孔の近傍に配置されている、粘着剤１２０ａが塗布された異物捕捉部１２０ｂに運ばれ、ここで、捕捉されることとなる。また、この通気孔１２５の内側開口は、所定の粗さより小さい網目を有するメッシュ部材１３０で覆われているので、一定の大きさ以上の異物がこの通気孔からホルダ部材１０２に侵入するのを回避できる。
【００８６】
次に本実施形態１の作用効果について説明する。
【００８７】
本実施形態１のカメラモジュールでは、ＩＲカットフィルタが配置される底面側ホルダ１１０の側壁内面に通気孔１２５の開口部を設けているので、天面側ホルダ１２０に向けてエアブローを実施した場合に、この底面側ホルダに設けた通気孔の開口部が空気の排出口となる。このため、上記エアパスの、該通気孔の開口部付近に粘着剤を配置することで確実に異物を捕獲することが可能となる。
【００８８】
また、上記底面側ホルダの通気孔の開口部を、ＩＲカットガラス上に異物が付着しても画質低下を引き起こさない異物サイズ（２０μｍ以下）の目開きのメッシュ部材１３０で覆うことで、外部から通気孔を介して異物が侵入するのを防止することができる。
【００８９】
この結果、カメラモジュールの製造工程での異物除去のための複数回の加振が、１度のエアブローで代替できるため、製造工数の削減が可能となるだけでなく、筐体へのカメラモジュールを組み込む際のエアブローにおいて外部から侵入した異物の捕獲も可能となり、画質低下を抑制できる。このようにカメラモジュール出荷時点でのエアブローを実施することで、カメラモジュールに内在している異物の除去を確実に実施できるため、工数削減が可能となる。
【００９０】
また、最終的にユーザーでのカメラモジュールの筐体への組み込みの際に実施されるエアブローにより外部からカメラモジュール内に侵入した異物も捕捉し、画質劣化を防止することができる。
【００９１】
このように本実施形態１では、基板１０１と、基板上に設けられた撮像チップ１０１ａと、撮像チップ上に入射光を集光させる集光レンズ１０７と、基板に撮像チップを覆うよう取り付けられ、集光レンズを収容するホルダ部材１０２を有するカメラモジュールにおいて、ホルダ部材１０２の採光用開口部１２２からホルダ部材の内部に流入した気流を排出する通気孔１２５をホルダ部材１０２の側壁に形成し、気流の流れる経路（エアパス）Ｐａの一部には、気流に含まれる異物を捕捉する、グリスなどの粘着剤１２０ａを塗布した異物捕捉部１２０ｂをホルダ部材１０２内に配置したので、エアーブロー時には、より確実に粘着部で異物を捕捉することが可能となる。
【００９２】
また、ホルダ部材１０２に形成した通気孔の、ホルダ部材１０２内側の開口部をメッシュ部材１３０で覆い、このメッシュ部材１３０の目開きはＩＲカットフィルタ上での画質に影響を与える異物サイズ以下のサイズとしているので、この通気孔から画質劣化を招くような異物が侵入するのを防止することができる。
【００９３】
また、通気孔１２５の、ホルダ部材１０２の内側に位置する内側開口を、異物を捕捉する異物捕捉部１２０ｂに隣接して配置しているので、効率よく異物を捕捉できる。
【００９４】
なお、上記実施形態１では、特に言及していないが、底面側ホルダ１１０及び天面側ホルダ１２０に対して集光レンズ１０７（バレル１０６）のキャリア１０５を支持する弾性部材１１１及び１２１の弾性力は、エアーブロー時に集光レンズ１０７（バレル１０６）に吹き付けられる空気流の風圧により、キャリア１０５が底面側ホルダ１１０の上壁に当接する位置に移動する程度に設定してもよい。この場合、エアーブロー時には、図５に示すように、エアーブローにより生じた風圧により、キャリア１０５が底面側ホルダ１１０の上部壁に当接する位置に移動するため、ＩＲカットフィルタ上の空間がキャリア１０５により塞がれることとなり、エアーブロー時にＩＲカットフィルタ上に異物が入り込むのをより確実に回避することができる。
【００９５】
（実施形態２）
図６は本発明の実施形態２によるカメラモジュールを説明する図であり、このカメラモジュールの断面構造を示している。
【００９６】
この実施形態２のカメラモジュール１００ａは、上記実施形態１のカメラモジュール１００における通気孔１２５の配置を変更したものであり、その他の構成は、実施形態１におけるものと同一である。
【００９７】
すなわち、上記実施形態１のカメラモジュール１００では、底面側ホルダ１１０のフランジ部１１２ａと、天面側ホルダ１２０の、このフランジ部１１２ａと嵌合する下端部とを貫通するよう、通気孔１２５を形成しているが、この実施形態２のカメラモジュール１１０ａでは、実施形態１の通気孔１２５に相当する通気孔１２５ａは、底面側ホルダ１１０ａの上壁面からその側面にかけて形成している。つまり、通気孔１２５ａのホルダ内側開口は、底面側ホルダ１１０ａの上壁面の、上記フランジ部１１２ａの内側部分に位置しており、また、通気孔１２５ａのホルダ外側開口は、底面側ホルダ１１０ａの側壁外面に位置している。また、メッシュ部材１３０ａは、通気孔１２５ａのホルダ内側開口を覆うよう、底面側ホルダの上部壁の上に配置されており、粘着剤１２０ｂは、このメッシュ部材１３０ａ上に、エアーブロー時に天面側ホルダの採光用開口から通気孔に向かうエアーパスＰｂを塞がないように塗布されている。
【００９８】
なお、この実施形態２においても、通気孔のサイズ、及びメッシュ部材の網目のサイズは、実施形態１のものと同一に設定している。
【００９９】
このような実施形態２のカメラモジュールも、実施形態１のカメラモジュールと同様に組立てられ、その後、エアーブローなどの処理が行われて、カメラモジュールに付着している異物が除去される。
【０１００】
このようにエアーブローが行われると、カメラモジュール１００ａの採光用開口部１２２からホルダ部材の底面側ホルダ１１０ａに形成した通気孔１２５ａに至る経路が、エアーパスＰｂとなり、空気が勢いよく流れる。これにより、カメラモジュールの組立て工程で混入している異物は、上記の空気流に乗って、通気孔の近傍に配置されている、粘着剤１２０ｃが塗布された異物捕捉部１２０ｄに運ばれ、ここで、捕捉されることとなる。また、この通気孔１２５ａの内側開口は、所定の粗さより小さい網目を有するメッシュ部材１３０で覆われているので、一定の大きさ以上の異物がこの通気孔からホルダ部材１０２ａに侵入するのを回避できる。
【０１０１】
このように本実施形態２では、基板１０１上の撮像チップ１０１ａを覆うよう基板１０１に取り付けられ、集光レンズ１０７を収容するホルダ部材１０２ａを有するカメラモジュールにおいて、ホルダ部材１０２ａの採光用開口部１２２からホルダ部材の内部に流入した気流を排出する通気孔１２５ａをホルダ部材１０２ａの底面側ホルダ１１０ａに形成し、気流の流れる経路Ｐｂの一部には、気流に含まれる異物を捕捉する、グリスなどの粘着剤１２０ｃを塗布した異物捕捉部１２０ｄを底面側ホルダ１１０ａの上面に配置したので、エアーブロー時には、より確実に異物捕捉部１２０ｄで異物を捕獲することが可能となる。
【０１０２】
また、底面側ホルダ１１０ａに形成した通気孔１２５ａの内側開口をメッシュ部材１３０ａで覆い、このメッシュ部材１３０ａの目開きはＩＲカットフィルタ上での画質に影響を与える異物サイズ以下のサイズとしているので、この通気孔からの画質の劣化を招くような異物が侵入するのを防止することができる。
【０１０３】
さらに、この実施形態２では、通気孔は、ホルダ部材を構成する底面側ホルダにのみ形成しているので、天面側ホルダに対する通気孔の形成加工は不要とできる。
【０１０４】
（実施形態３）
図７は、本発明の実施形態３によるカメラモジュールを説明する図であり、このカメラモジュールの断面構造を示している。
【０１０５】
この実施形態３のカメラモジュール１００ｂは、上記実施形態１のカメラモジュール１００における異物捕捉部の構造を変更したものであり、その他の構成は、実施形態１におけるものと同一である。
【０１０６】
すなわち、上記実施形態１のカメラモジュール１００では、異物捕捉部１２０ｂは、底面側ホルダ１１０の上面の、磁石１０３とコイル１０５との間隙に対向する領域に粘着剤１２５を塗布した構造としているが、この実施形態３のカメラモジュール１００ｂでは、底面側ホルダ１１０ｂの上面の、磁石１０３とコイル１０５との間隙に対向する領域を、底面側ホルダ１１０ｂの上面より下側に掘り下げた溝部１２０ｆを形成した構造とし、この溝部１２０ｆの底部に粘着剤１２０ｅを塗布して異物捕捉部１２０ｇを形成したものである。
【０１０７】
つまり、この実施形態３のカメラモジュール１００ｂでは、エアーブロー時に天面側ホルダ１２０の採光用開口１２２から空気流が通気孔に流れるエアーパスの一部、つまり、通気孔直前の、底面側ホルダの上面に溝部を形成した部分で、エアーパスの断面積が増大したものとなっており、このため、この溝部１１１ｂを形成した部分で気流の流速が低減し、この気流に乗って運ばれてきた異物が該溝部内に落下して粘着剤に捕捉されやすくなる。
【０１０８】
なお、この実施形態３においても、通気孔のサイズ、及びメッシュ部材の網目のサイズは、実施形態１のものと同一であることはいうまでもない。
【０１０９】
このような実施形態３のカメラモジュールも、実施形態１のカメラモジュールと同様に組立てられ、その後、エアーブローなどの処理が行われて、カメラモジュールに付着している異物が除去される。
【０１１０】
このようにエアーブローが行われると、カメラモジュール１００ｂの採光用開口部１２２からホルダ部材の底面側ホルダに形成した通気孔１２５に至る経路が、エアーパスＰａとなり、空気が勢いよく流れる。これにより、カメラモジュールの組立て工程で混入している異物は、上記の空気流に乗って、通気孔１２５の近傍の溝部１２０ｆ内に配置されている、粘着剤１２０ｅが塗布された異物捕捉部１２０ｇに運ばれ、ここで、気流の流速が落ちることから、異物は効果的に捕捉されることとなる。
【０１１１】
また、この通気孔１２５の内側開口は、所定の粗さより小さい網目を有するメッシュ部材１３０で覆われているので、一定の大きさ以上の異物がこの通気孔１２５からホルダ部材１０２ｂに侵入するのを回避できる。
【０１１２】
このように本実施形態３では、基板１０１上の撮像チップ１０１ａを覆うよう基板１０１に取り付けられ、集光レンズ１０７を収容するホルダ部材１０２ｂを有するカメラモジュール１００ｂにおいて、ホルダ部材１０２の採光用開口部１２２からホルダ部材の内部に流入した気流を排出する通気孔１２５をホルダ部材１０２ｂの底面側ホルダ１１０ｂに形成し、しかも、エアーブロー時に天面側ホルダの採光用開口から空気流が通気孔に流れるエアーパスの一部の断面積が増大するよう、通気孔直前の、底面側ホルダ１１０ｂの上面に溝部１２０ｂを形成したので、エアーブロー時には、この溝部１２０ｆを形成した部分で気流の流速が低減し、この気流に乗って運ばれてきた異物が該溝部内に落下して粘着剤１２０ｅに捕捉されやすくなる。
【０１１３】
また、底面側ホルダ１１０ｂに形成した通気孔１２５の内側開口をメッシュ部材１３０で覆い、このメッシュ部材１３０の目開きはＩＲカットフィルタ上での画質に影響を与える異物サイズ以下のサイズとしているので、この通気孔からの画質の劣化を招くような異物が侵入するのを防止することができる。
【０１１４】
なお、上記実施形態３では、粘着剤は、底面側ホルダの上面に形成した溝部の底面に塗布しているが、粘着剤は、該溝部の内側面に形成してもよい。また、このように底面側ホルダ上面の溝部の内側面に粘着剤を形成した場合は、エアーブロー時に発生する気流が、光軸を中心として回転するように、例えば、天面側ホルダの磁石の表面にフィンを設けることで、気流の回転により発生する遠心力により、異物を溝部内の側面に塗布した粘着剤により捕捉することができ、より効果的な異物の捕捉が可能となる。
【０１１５】
また、上記実施形態１〜３では、カメラモジュールとして、集光レンズをキャリアにより光軸方向に移動可能の保持する、オートフォーカス機能を有するものについて説明したが、カメラモジュールは、集光レンズを撮像チップに対して所定の距離に固定して配置した固定焦点のものであってもよい。
【０１１６】
さらに、上記実施形態１〜３では、特に説明しなかったが、上記実施形態１〜３の固体撮像装置の少なくともいずれかを撮像部に用いた、例えばデジタルビデオカメラ、デジタルスチルカメラなどのデジタルカメラや、画像入力カメラ、スキャナ、ファクシミリ、カメラ付き携帯電話装置などの、画像入力デバイスを有した電子情報機器について以下簡単に説明する。
（実施形態４）
図８は、本発明の実施形態４として、実施形態１〜３のいずれかの固体撮像装置を撮像部に用いた電子情報機器の概略構成例を示すブロック図である。
【０１１７】
図８に示す本発明の実施形態４による電子情報機器９０は、本発明の上記実施形態１〜３の固体撮像装置の少なくともいずれかを、被写体の撮影を行う撮像部９１として備えたものであり、このような撮像部による撮影により得られた高品位な画像データを記録用に所定の信号処理した後にデータ記録する記録メディアなどのメモリ部９２と、この画像データを表示用に所定の信号処理した後に液晶表示画面などの表示画面上に表示する液晶表示装置などの表示部９３と、この画像データを通信用に所定の信号処理をした後に通信処理する送受信装置などの通信部９４と、この画像データを印刷（印字）して出力（プリントアウト）する画像出力部９５とのうちの少なくともいずれかを有している。
【０１１８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【０１１９】
本発明は、カメラモジュール及び電子情報機器の分野において、エアーブローの実施により、カメラモジュールの製造時に侵入した異物をより確実に粘着剤と接触させて捕捉することができ、異物が粘着剤と接触する確率を上げるための複数回の加振工程による工数増大を招くことなく、画質劣化につながる撮像領域への異物の到達を防止することができるカメラモジュール、及びこのようなカメラモジュールを搭載した電子情報機器を提供できるものである。
【符号の説明】
【０１２０】
９０  電子情報機器
９１  撮像部
９２  メモリ部
９３  表示手段
９４  通信手段
９５  画像出力手段
１００  カメラモジュール１００
１０１  基板
１０１ａ  撮像チップ
１０１ｂ  ＩＲカットフィルタ
１０２、１０２ａ、１０２ｂ  ホルダ部材
１０３  磁石
１０４  コイル
１０５  キャリア（可動部）
１０６  バレル
１０７  集光レンズ
１１０、１１０ａ、１１０ｂ  底面側ホルダ（下部ホルダ）
１１５ａ、１１５ｂ  接着剤
１１６  開口部
１１１、１２１  弾性部材
１１２ａ、１１２ｂ  フランジ部
１２０  天面側ホルダ（上部ホルダ）
１２０ａ、１２０ｃ、１２０ｅ  接着剤
１２０ｂ、１２０ｄ、１２０ｇ  異物捕捉部
１２０ｆ  溝部
１２１ａ  下端部
１２５、１２５ａ  通気孔
１３０  メッシュ部材
【図１】
2011155414.tif 000003
【図２】
2011155414.tif 000004
【図３】
2011155414.tif 000005
【図４】
2011155414.tif 000006
【図５】
2011155414.tif 000007
【図６】
2011155414.tif 000008
【図７】
2011155414.tif 000009
【図８】
2011155414.tif 000010
【図１０】
2011155414.tif 000011
【図９】
2011155414.tif 000012